(57)【要約】【課題】制御装置の通信１回線に複数のカードリーダを接続する様にし、カードリーダの配線コストを削減しながら、光信号変換など、他のインターフェースヘの変換にも容易に対応できるセキュリティシステムを得る。【解決手段】所定の扉を通行する利用者の認証を行うためのアドレスを有する複数のカードリーダ６ａ，６ｂと、カードリーダ６ａ，６ｂに接続され、いずれかのカードリーダからの信号に基づいて、扉の開閉動作を制御する制御装置１とを備え、制御装置１からカードリーダ６ａ，６ｂへの配線１６と、カードリーダ６ａ，６ｂから制御装置１への配線１７とを分離させている。【選択図】　　　　図１
2004013214.tif 000002
【特許請求の範囲】
【請求項１】
予め設定された固有のアドレスを有し、所定場所を通行することが許可された利用者か否かの認証を行うための１以上の認証手段と、
前記所定場所の通行が許可されていない利用者に対して前記所定場所の通行を禁止する通行止め手段と、
ＲＳ４８５規格のインターフェースを用いて前記認証手段に接続され、前記認証手段の動作の制御を行うとともに、前記認証手段のうちのいずれか１つからの信号に基づいて前記通行止め手段の開閉動作を制御する制御手段と
を備え、
前記制御手段から前記認証手段への配線と、前記認証手段から前記制御手段への配線とを分離させたことを特徴とするセキュリティシステム。
【請求項２】
前記認証手段が、ＩＤ番号が記憶されたカードの読み取りを行うためのカードリーダから構成されていることを特徴とする請求項１に記載のセキュリティシステム。
【発明の詳細な説明】
【０００１】
【発明の属する技術分野】
この発明はセキュリティシステムに関し、特に、ビル内の通行（入室／退室等）を管理するセキュリティシステムに関する。
【０００２】
【従来の技術】
図２にカードリーダを用いて出入管理や防犯および防災監視などを行うセキュリティシステムの一例を示す。図２において、１は扉の開閉動作の制御を行う制御装置、６ａは扉の入側に設けられたカードリーダ、６ｂは扉の出側に設けられたカードリーダ、１１は扉に設けられた電気錠である。利用者が所持しているカードを用いて操作を行うと、カードリーダ６ａまたは６ｂはカードの情報を読み取り、読取信号（読取データ）を制御装置１に伝送する。
【０００３】
制御装置１はカードリーダ６ａまたは６ｂから伝送された読取信号を解読し、解読結果に基づいて必要な制御信号を出力する。出入管理の場合には、カードのＩＤ番号がカードリーダ６ａまたは６ｂで読み取られ、その読取信号は制御装置１に送られ、制御装置１に予め登録されているＩＤ番号と一致したとき、電気錠１１を解錠する解錠信号が電気錠１１に送られ、扉が開く。
【０００４】
このようにセキュリティシステムでは、制御装置１はカードのｌＤ番号をカードリーダ６ａ、６ｂで読み取ることにより、その都度電気錠１１を解錠して、入室、退室の制御を行っている。このとき、建物の構造にもよるが、制御装置１とカードリーダ６ａ，６ｂの間は離れて設置されることが多いのに対し、カードリーダ６ａと６ｂは扉の表と裏なので近くに配置されることが多い。
【０００５】
図４に、従来のセキュリティシステムの内部および配線の構成を示す。図４に示すように、制御装置１内には、内部動作の制御を行う制御部２と、カードリーダ６ａ，６ｂとの通信の制御を行う通信制御部３と、カードリーダ６ａ，６ｂに対して信号を送信するＲＳ４８５ドライバ４と、カードリーダ６ａ，６ｂからの信号を受信するＲＳ４８５レシーバ５とが設けられている。また、カードリーダ６ａ（または６ｂ）内には、内部動作の制御を行う制御部７ａ（または７ｂ）と、制御装置１との通信およびカードリーダ間の通信の制御を行う通信制御部８ａ（または８ｂ）と、制御装置１または他方のカードリーダ６ｂ（または６ａ）からの信号を受信するＲＳ４８５レシーバ９ａ（または９ｂ）と、制御装置１または他方のカードリーダ６ｂ（または６ａ）に対して信号を送信するＲＳ４８５ドライバ１０ａ（または１０ｂ）とが設けられている。
【０００６】
配線コストを削減するには、制御装置からカードリーダ６ａ，６ｂにそれぞれケーブルを引く（スター式）のではなく、図４に示すように、芋づる式（バス式）に、制御装置１からカードリーダ６ａおよびカードリーダ６ｂまでを１本のケーブル１５で配線すべきである。そこで、近年、制御装置１とカードリーダ間のインターフェースに、１対多もしくは多対多の接続を行うためのインターフェースの規格の１つであるＲＳ４８５規格が採用されることが多くなっている。
【０００７】
【発明が解決しようとする課題】
しかしながら、カードリーダを遠方に設置する場合などにおいては、カードリーダと制御装置の通信を光信号などＲＳ４８５以外のインターフェースに変換しなければならない場合がある。ＲＳ４８５は、マルチドロップ対応の規格で一つの伝送路に上り信号と下り信号とが時分割で流れる。このような時分割を行っている規格の伝送に対応した信号変換装置はほとんど開発されていないため、現行の信号変換装置においては、ＲＳ４８５信号を光信号等の他のインターフェースに変換することができないという問題点があった。
【０００８】
本発明は、かかる問題点を解決するためになされたものであり、制御装置とカードリーダの配線コストを削減しながら、他のインターフェースヘの変換にも容易に対応できるセキュリティシステムを提供することを目的とする。
【０００９】
【課題を解決するための手段】
この発明は、予め設定された固有のアドレスを有し、所定場所を通行することが許可された利用者か否かの認証を行うための１以上の認証手段と、前記所定場所の通行が許可されていない利用者に対して前記所定場所の通行を禁止する通行止め手段と、ＲＳ４８５規格のインターフェースを用いて前記認証手段に接続され、前記認証手段の動作の制御を行うとともに、前記認証手段のうちのいずれか１つからの信号に基づいて前記通行止め手段の開閉動作を制御する制御手段とを備え、前記制御手段から前記認証手段への配線と、前記認証手段から前記制御手段への配線とを分離させたことを特徴とするセキュリティシステムである。
【００１０】
また、前記認証手段が、ＩＤ番号が記憶されたカードの読み取りを行うためのカードリーダから構成されている。
【００１１】
【発明の実施の形態】
実施の形態１．
以下、この発明の実施の形態１について図１を参照して説明する。なお、本発明においても、セキュリティシステムの全体の構成の例は、上述の図２と同様であるため、こちらを参照する。図１において、上述の図４と同一構成については、同一符号を付して示し、ここでは説明を省略する。図１と図４の構成上の違いは、図４の従来システムにおいては制御装置１からカードリーダ６ａを通ってカードリーダ６ｂまでを１本のケーブル１５で配線し、上り信号と下り信号とが時分割で行われていたのに対し、図１の本発明のシステムにおいては、制御装置１からカードリーダ６ａ，６ｂへの配線１６と、カードリーダ６ａ，６ｂから制御装置１への配線１７とを、それぞれ別個の配線から構成し、それらを分離させている点である。
【００１２】
動作について説明する。図１において、制御装置１の通信制御部３からの送信信号は、ＲＳ４８５ドライバ４にてＲＳ４８５信号に変換され、カードリーダのＲＳ４８５レシーバ９ａ，９ｂに到達する。レシーバ９ａおよび９ｂは、ＲＳ４８５信号を元に戻し、通信制御部８ａ，８ｂへ与える。なお、このとき、カードリーダ６ａ，６ｂは、それぞれ、固有のアドレスを有しているため、制御装置１は、信号を送信する際に、アドレス情報を付加して、いずれのアドレスのカードリーダに信号を送信しているかを特定できるようにする。また、制御装置１からカードリーダに送信する信号の内容としては、カードリーダの動作の制御を行うための制御信号が挙げられ、例えば、操作されたカード情報を送信せよというコマンドや、カードの読み取りがエラーだった場合にエラー表示をさせるための、エラー表示設定コマンドや、ブザー鳴動コマンド等である。
【００１３】
一方カードリーダ６ａ，６ｂから制御装置１への送信信号は、通信制御部８ａ，８ｂで生成され、ＲＳ４８５ドライバ１０ａ，１０ｂにてＲＳ４８５信号に変換され、制御装置１のＲＳ４８５レシーバ５へ到達する。レシーバ５は、ＲＳ４８５信号を元に戻し、通信制御部３へ与える。なお、この場合、カードリーダ６ａ，６ｂは、送信する信号に自分のアドレス情報を付加して制御装置１に信号を送信して、いずれのカードリーダから送信された信号であるかを特定できるようにする。なお、カードリーダから制御装置１へ送信される信号の例としては、主に、カードに記憶されているＩＤ番号が挙げられる。カードのＩＤ番号がカードリーダ６ａまたは６ｂで読み取られ、その読取信号は制御装置１に送られ、制御装置１に予め登録されているＩＤ番号と一致したとき、電気錠１１を解錠する解錠信号が電気錠１１に送られ、扉が開く。
【００１４】
ここで、２台のカードリーダ６ａ，６ｂが同時に送信すると、伝送路上で信号がぶつかってしまう。よって、ＲＳ４８５ドライバ１０ａ，１０ｂは交互に伝送路を使用するような制御を用いなければならない。この様な場合の通信プロトコルとして、ポーリシグ／セレクション方式が一般的であるが、このブロトコルは公知の技術であるため、説明は割愛する。
【００１５】
以上のように、本実施の形態においては、アドレスを持つ２台以上のカードリーダとそれを制御する制御装置をＲＳ４８５規格のインターフェースで接続し、制御装置１からカードリーダ６ａ，６ｂへの配線と、カードリーダ６ａ，６ｂから制御装置１への配線を分離させたので、各配線が上り信号専用および下り信号専用となり、従来のように上り信号と下り信号が時分割されていないので、既存の信号変換装置を用いることができ、他のインターフェースへの変換にも容易に対応することができる。また、制御装置１の通信１回線１６（または１７）に、複数のカードリーダ６ａ，６ｂを接続するようにしたので、配線コストを削減することができる。
【００１６】
以下、実際に、図１の構成に信号変換装置を挿入させて、他のインターフェースへの変換に対応させた場合の一例について説明する。
【００１７】
図３は、図１の制御装置１とカードリーダとの間に、信号変換装置として光変換器１２，１３を挿入し、長距離伝送を実現した場合の本発明のセキュリティシステムの構成を示した図である。図３において、１２，１３は光変換器、１４は光伝送路（光ケーブル）、２０は光変換器１２，１３間の長距離伝送である。なお、光変換器１２および１３間は長距離離れており、光伝送路１４により接続されている。
【００１８】
動作について説明する。図３において、制御装置１の通信制御部３からの送信信号は、ＲＳ４８５ドライバ４にてＲＳ４８５信号に変換され、さらに、光変換器１２にて電気信号であるＲＳ４８５信号が光信号に変換され、光伝送路１４を介して、他方の光変換器１３に入力されて、そこで、光信号が元のＲＳ４８５信号に変換される。光変換器１３から出力されるＲＳ４８５信号は、カードリーダのＲＳ４８５レシーバ９ａ，９ｂに到達する。レシーバ９ａおよび９ｂは、ＲＳ４８５信号を元に戻し、通信制御部８ａ，８ｂへ与える。
【００１９】
一方カードリーダ６ａ，６ｂから制御装置１への送信信号は、通信制御部８ａ，８ｂで生成され、ＲＳ４８５ドライバ１０ａ，１０ｂにてＲＳ４８５信号に変換され、光変換器１３で、ＲＳ４８５信号から光信号への変換が行われる。光信号は、光伝送路１４を介して送信され、光変換器１２に入力される。そこで、光信号は元のＲＳ４８５信号に変換され、制御装置１のＲＳ４８５レシーバ５へ到達する。レシーバ５は、ＲＳ４８５信号を元に戻し、通信制御部３へ与える。
【００２０】
以上説明したように、本発明のセキュリティシステムにおいては、制御装置からカードリーダへの配線と、カードリーダから制御装置への配線とを分離させるとともに、通信１回線に複数のカードリーダを接続するようにしたので、図４の例からも明らかなように、配線コストを削減しながら、光信号変換等、他のインターフェースへの変換にも容易に対応することができる。
【００２１】
なお、上記の説明においては、光信号変換を例に挙げて説明したが、その場合に限らず、本発明の構成においては、何ら制約がないため、種々のいずれのインターフェースへの変換にも対応できることは言うまでもない。
【００２２】
また、上記の説明においては、利用者の認証手段として、カードリーダを例に挙げて説明したが、その場合に限らず、利用者の指紋や唇を判別する装置や、暗証番号を入力する装置など、種々の認証手段を用いるようにしてもよく、その場合にも、同様の効果が得られる。
【００２３】
また、上記の説明においては、所定場所の通行を禁止する通行止め手段として、扉とその電気錠を例に挙げて説明したが、その場合に限らず、利用者の通行を実質的に許可／禁止できるものであればいずれのものでもよく、例えば、改札システムや、踏切に設けられている遮断器のような構成の装置でもよく、さらには、物理的に通行を許可／禁止するものだけでなく、センサ等で検知していて許可されない利用者が通行するとアラーム音が流れる等、電気的あるいは光学的に通行を許可／禁止するものであってもよく、その場合にも同様の効果が得られる。
【００２４】
【発明の効果】
この発明は、予め設定された固有のアドレスを有し、所定場所を通行することが許可された利用者か否かの認証を行うための１以上の認証手段と、前記所定場所の通行が許可されていない利用者に対して前記所定場所の通行を禁止する通行止め手段と、ＲＳ４８５規格のインターフェースを用いて前記認証手段に接続され、前記認証手段の動作の制御を行うとともに、前記認証手段のうちのいずれか１つからの信号に基づいて、前記通行止め手段の開閉動作を制御する制御手段とを備え、前記制御手段から前記認証手段への配線と、前記認証手段から前記制御手段への配線とを分離させたことを特徴とするセキュリティシステムであるので、認証手段への配線コストを削減しながら、光信号変換など、他のインターフェースヘの変換にも容易に対応することができる。
【００２５】
また、前記認証手段が、ＩＤ番号が記憶されたカードの読み取りを行うためのカードリーダから構成されているので、利用者が所定のカードを有していることと、当該カードに所定のＩＤ番号が記憶されていることとの２つの条件が必要であるため、セキュリティ性が高く、また、既存のカードリーダを用いることができるため、安価に製造することができる。
【図面の簡単な説明】
【図１】本発明のセキュリティシステムの一例を示した構成図（通常構成）である。
【図２】従来及び本発明のセキュリティシステムの全体構成図である。
【図３】本発明のセキュリティシステムの他の例を示した構成図（光変換器挿入状態）である。
【図４】従来のセキュリティシステムの構成図である。
【符号の説明】
１　制御装置、６ａ，６ｂ　カードリーダ、２，７ａ，７ｂ　制御部、３，８ａ，８ｂ　通信制御部、４，１０ａ，１０ｂ　ＲＳ４８５ドライバ、５，９ａ，９ｂ　ＲＳ４８５レシーバ、１１　電気錠、１２，１３　光変換器、１４　光伝送路、１５，１６，１７　配線。
【図１】
2004013214.tif 000003
【図２】
2004013214.tif 000004
【図３】
2004013214.tif 000005
【図４】
2004013214.tif 000006